(57)【要約】【課題】不要な紫外光を利用してエネルギーの有効利用が可能となる構成を備えることにより、省エネルギー化を実現できるプロジェクターを提供する。【解決手段】プロジェクター１は、光束を射出する光源装置３０と、情報を表示する表示部７０と、を備え、光源装置３０は、光束を射出する発光管３０１と、発光管３０１から射出された光束を所定方向に反射させるリフレクター３０５とを備え、表示部７０は、情報を表示する液晶パネル７２と、液晶パネル７２を背面から照明する照明部７１とを備え、照明部７１は、リフレクター３０５を透過する紫外光により発光して照明する。【選択図】図３
2013145260.tif 000002
【特許請求の範囲】
【請求項１】
光束を画像信号に応じて変調して投射するプロジェクターであって、
前記光束を射出する光源装置と、情報を表示する表示部と、を備え、
前記光源装置は、前記光束を射出する発光管と、当該発光管から射出された前記光束を所定方向に反射させるリフレクターとを備え、
前記表示部は、前記情報を表示する液晶パネルと、当該液晶パネルを背面から照明する照明部とを備え、
前記照明部は、前記リフレクターを透過する紫外光により発光して照明することを特徴とするプロジェクター。
【請求項２】
請求項１に記載のプロジェクターであって、
前記照明部は、透明基材と、当該透明基材に形成されて前記紫外光により発光する発光部材と、を備えていることを特徴とするプロジェクター。
【請求項３】
請求項１または請求項２に記載のプロジェクターであって、
前記リフレクターを透過する前記紫外光を反射させて前記照明部に導光する反射部を備えていることを特徴とするプロジェクター。
【請求項４】
請求項３に記載のプロジェクターであって、
前記反射部で導光された前記紫外光を略平行化して前記照明部に射出するレンズ部を備えていることを特徴とするプロジェクター。
【請求項５】
請求項４に記載のプロジェクターであって、
前記反射部は、楕円面形状の反射面を備え、当該楕円面形状の一方の焦点は、前記発光管の前記光束を射出する中心部に位置し、
前記レンズ部は、前記楕円面形状の他方の焦点より、前記一方の焦点側にずれて設置されていることを特徴とするプロジェクター。
【請求項６】
請求項１〜請求項５のいずれか一項に記載のプロジェクターであって、
前記照明部に入射する前記紫外光の光量を調整する調整部を備えていることを特徴とするプロジェクター。
【請求項７】
請求項１〜請求項６のいずれか一項に記載のプロジェクターであって、
前記照明部は、低い駆動電圧で前記光源装置を駆動する場合に射出される前記紫外光の光量により、前記発光部材の発光量を飽和させることを特徴とするプロジェクター。
【発明の詳細な説明】
【技術分野】
【０００１】
本発明は、プロジェクターに関する。
【背景技術】
【０００２】
従来、光源装置から射出された光束を画像信号に応じて変調して投射するプロジェクターが知られている。光源装置は、高圧水銀ランプ等が用いられている。このような光源装置は、光束を射出する発光管と、発光管から射出された光束を反射するリフレクターと、を備えている。なお、射出される光束には、可視光や可視光以外の光線（赤外光や紫外光等）が含まれている。なお、プロジェクターは、可視光を利用している。変調装置としての液晶パネルに、赤外光や紫外光を照射した場合、液晶パネルを発熱させたり変質させたりする。
【０００３】
紫外光の照射による発熱や変質を抑制させるために、プロジェクターは、リフレクターで反射して射出される光束に対して、フィルターを設置して可視光以外の赤外光及び紫外光をカットしている。また、リフレクターの反射面に波長選択性の蒸着膜を設置することにより、赤外光及び紫外光は反射させずに、リフレクターの後方（背面方向）へ透過させている。
【０００４】
特許文献１では、可視光、紫外線及び赤外線を含む光線を発する光源と、この光源からの光線を反射するリフレクターと、このリフレクターで反射された光線を映像信号により変調する液晶パネルと、この液晶パネルを透過した光線を投射する投射手段とを備える液晶プロジェクターにおいて、リフレクーの反射面に可視光以外の光線を透過する処理を施すとともに、この透過した可視光以外の光線により発電される太陽電池を備える液晶プロジェクターを開示している。この構成により、液晶プロジェクターは、リフレクターの後方に透過した不要な紫外線及び赤外線を利用して発電することにより、液晶プロジェクターの消費電力の一部を賄うことができるため、エネルギーの有効利用が可能としている。
【先行技術文献】
【特許文献】
【０００５】
【特許文献１】特開平６−１６０８５１号公報
【発明の概要】
【発明が解決しようとする課題】
【０００６】
現在、プロジェクターの省エネルギー化を実現することが課題となっている。そのため、特許文献１に開示される液晶プロジェクターの構成以外に、不要な紫外線（紫外光）を利用することで、エネルギーの有効利用が可能となる構成を備えることにより、省エネルギー化を実現できるプロジェクターが要望されている。
【課題を解決するための手段】
【０００７】
本発明は、上述した課題の少なくとも一部を解決するためになされたものであり、以下の形態または適用例として実現することが可能である。
【０００８】
［適用例１］本適用例に係るプロジェクターは、光束を画像信号に応じて変調して投射するプロジェクターであって、光束を射出する光源装置と、情報を表示する表示部と、を備え、光源装置は、光束を射出する発光管と、発光管から射出された光束を所定方向に反射させるリフレクターとを備え、表示部は、情報を表示する液晶パネルと、液晶パネルを背面から照明する照明部とを備え、照明部は、リフレクターを透過する紫外光により発光して照明することを特徴とする。
【０００９】
このようなプロジェクターによれば、照明部は、リフレクターを透過する紫外光により発光することで、液晶パネルの背面から液晶パネルを照明する。この構成により、不要な紫外光を利用してプロジェクターの消費電力の一部を賄うことができるため、エネルギーの有効利用が可能となり、プロジェクターの省エネルギー化を実現できる。
【００１０】
［適用例２］上記適用例に係るプロジェクターにおいて、照明部は、透明基材と、透明基材に形成されて紫外光により発光する発光部材と、を備えていることが好ましい。
【００１１】
このようなプロジェクターによれば、透明基材と発光部材とを備えることでよいため、照明部を容易に構成することができる。
【００１２】
［適用例３］上記適用例に係るプロジェクターにおいて、リフレクターを透過する紫外光を反射させて照明部に導光する反射部を備えていることが好ましい。
【００１３】
このようなプロジェクターによれば、反射部を備えることにより、紫外光を照明部に効率的に導光することができる。
【００１４】
［適用例４］上記適用例に係るプロジェクターにおいて、反射部で導光された紫外光を略平行化して照明部に射出するレンズ部を備えていることが好ましい。
【００１５】
このようなプロジェクターによれば、反射部で導光された紫外光を略平行化して照明部に射出するレンズ部を備えることにより、紫外光を効率的に照明部に射出することができる。また、紫外光の光量もレンズ部の面内で均一にさせることができ、照明部を均一に発光させることができる。そのため、液晶パネルを均一な明るさで照明することができ、照明の品質を向上させることができる。
【００１６】
［適用例５］上記適用例に係るプロジェクターにおいて、反射部は、楕円面形状の反射面を備え、楕円面形状の一方の焦点は、発光管の光束を射出する中心部に位置し、レンズ部は、楕円面形状の他方の焦点より、一方の焦点側にずれて設置されていることが好ましい。
【００１７】
このようなプロジェクターによれば、反射部は、楕円面形状の反射面を備え、楕円面形状の一方の焦点を発光管の光束を射出する中心部に位置させることにより、中心部から射出された紫外光は、リフレクターを透過し、楕円面形状の反射面で反射して、楕円面形状の他方の焦点に集まる。そして、レンズ部が、楕円面形状の他方の焦点より、一方の焦点側にずれて設置されることにより、他方の焦点に効率的に集められる紫外光をその前で略平行化させて射出することができる。この構成により、紫外光を効率的に無駄なく導光させることができ、また、紫外光の光量も均一にさせることができ、照明部を均一に発光させることができる。そのため、液晶パネルを均一な明るさで照明することができ、照明の品質を向上させることができる。
【００１８】
［適用例６］上記適用例に係るプロジェクターにおいて、照明部に入射する紫外光の光量を調整する調整部を備えていることが好ましい。
【００１９】
このようなプロジェクターによれば、照明部に入射する紫外光の光量を調整する調整部を備えることにより、照明部の発光する光量（発光量）を調整すること等ができ、照明の品質を向上させることができる。また、表示部の照明が不必要な場合には、照明部へ入射する紫外光をカットすることで、照明部を発光させずに消灯させることもできる。これらにより、プロジェクターの利便性を向上させることができる。
【００２０】
［適用例７］上記適用例に係るプロジェクターにおいて、照明部は、低い駆動電圧で光源装置を駆動する場合に射出される紫外光の光量により、発光部材の発光量を飽和させることが好ましい。
【００２１】
このようなプロジェクターによれば、照明部の明るさを低い駆動電圧での紫外光の光量で決めるため、それより高い駆動電圧で光源装置を駆動した場合にも、低い駆動電圧での明るさと変わらない明るさで照明することができる。これにより、光源装置の駆動電圧を変化させても液晶パネルを一定の明るさで照明することができ、照明の品質を向上させることができる。
【図面の簡単な説明】
【００２２】
【図１】第１実施形態に係るプロジェクターの概略斜視図。
【図２】プロジェクターの光学ユニットの構成を模式的に示す図。
【図３】光源装置から表示部までの構成を示す概略断面図。
【図４】第２実施形態に係るプロジェクターの調整部を示す概略断面図。
【発明を実施するための形態】
【００２３】
以下、実施形態を図面に基づいて説明する。
（第１実施形態）
【００２４】
図１は、第１実施形態に係るプロジェクター１の概略斜視図である。図２は、プロジェクター１の光学ユニット３の構成を模式的に示す図である。図１、図２を参照して、本実施形態のプロジェクター１の概略構成を説明する。
【００２５】
本実施形態のプロジェクター１は、光源装置３０から射出される光束を画像信号に応じて変調してスクリーン等の投射面に拡大投射する電子機器である。プロジェクター１は、図１に示すように、外装を構成する外装筺体２、外装筺体２内部に配設される光学ユニット３（図２参照）等を備える。なお、外装筺体２は、略直方体形状を有しており、その上面２ａには、情報を表示する表示部７０が設置されている。また、外装筺体２の前面２ｂには、光学ユニット３の投射レンズ３５が延出している。
【００２６】
光学ユニット３は、画像信号に応じて光束を変調して投射するものであり、図２に示すように、左右方向に延出すると共に、投射レンズ３５側が前方向に向けて延出する平面視略Ｌ字形状を有する。
【００２７】
光学ユニット３の構成を説明する。
光学ユニット３は、図２に示すように、発光管３０１とリフレクター３０５を有する光源装置３０と、レンズアレイ３１１，３１２、偏光変換素子３１３、重畳レンズ３１４、及び平行化レンズ３１５を有する照明光学装置３１とを備える。また、光学ユニット３は、ダイクロイックミラー３２１，３２２、及び反射ミラー３２３を有する色分離光学装置３２と、入射側レンズ３３１、リレーレンズ３３３、及び反射ミラー３３２，３３４を有するリレー光学装置３３とを備える。
【００２８】
また、光学ユニット３は、光変調装置としての３つの液晶パネル３４１、３つの入射側偏光板３４２、３つの出射側偏光板３４３、及び色合成光学装置としてのクロスダイクロイックプリズム３４４を有する光学装置３４と、投射光学装置としての投射レンズ３５とを備える。また、光学ユニット３は、光源装置３０、照明光学装置３１、色分離光学装置３２、リレー光学装置３３、及び光学装置３４を内部に収容すると共に、投射レンズ３５を所定位置で支持固定する光学部品用筺体３６を備える。
【００２９】
光学ユニット３における概略の動作を説明する。
光源装置３０から射出されて照明光学装置３１を経た光束は、色分離光学装置３２により、赤色光、緑色光、青色光の３つの色光に分離される。また、分離された各色光は、各液晶パネル３４１により画像信号に応じてそれぞれ変調される。変調された各色光は、クロスダイクロイックプリズム３４４により合成されて画像光を形成し、投射レンズ３５によりスクリーン（図示省略）等に投射される。
【００３０】
なお、光源装置３０とレンズアレイ３１１との間には、図示省略する透過部材が設置されている。そして、透過部材の表面には、光源装置３０から射出された光束に対して、可視光以外の光線（赤外光及び紫外光）をカットするフィルターが形成されている。このフィルターにより、光源装置３０から射出された光束のうち、可視光が照明光学装置３１に入射する。
【００３１】
図３は、光源装置３０から表示部７０までの構成を示す概略断面図である。また、図３は、紫外光の導光の仕方を模式的に示している。図３を参照して、表示部７０を照明する構成及び動作を説明する。
【００３２】
光源装置３０は、上述したように、発光管３０１とリフレクター３０５とを備えている。発光管３０１は、発光部３０２と、発光部３０２の両端から延出する封止部３０３とを備えている。発光部３０２は、発光部３０２内の電極（図示省略）に印加される印加電圧（電力）により発光して光束を射出する。封止部３０３は、発光部３０２を発光させるための電力を供給するリード線（図示省略）等が封止されている。
【００３３】
リフレクター３０５は、放物面形状を有する。リフレクター３０５の内面には、反射膜が複数積層された反射面３０６が形成されている。発光部３０２の発光により、放射状に射出された光束は、この反射面３０６で反射されて、照明光学装置３１（図２参照）に射出される。
【００３４】
リフレクター３０５の背面側には、リフレクター３０５を囲むように反射部５０が設置される。反射部５０は、発光部３０２の発光により射出された光束のうち、リフレクター３０５を透過する紫外光を反射させて、後述する照明部７１に導光する。反射部５０は、一方の端部５０１をリフレクター３０５の概先端部に位置させ、他方の端部５０２を後述するレンズ部６０の外周に位置させている。
【００３５】
反射部５０は、楕円面形状の反射面５１を備えている。反射部５０は、楕円面形状の反射面５１の一方の焦点Ｐ１を、発光管３０１の光束を射出する発光部３０２の中心部に合わせて設置されている。
【００３６】
反射部５０の他方の端部５０２には、レンズ部６０が設置されている。レンズ部６０は、反射部５０により導光された紫外光を略平行化して射出する平行化レンズ６１を有して構成される。平行化レンズ６１は、楕円面形状の反射面５１の他方の焦点Ｐ２より、一方の焦点Ｐ１側にずれた位置に設置されている。レンズ部６０（平行化レンズ６１）は、反射部５０の反射面５１で反射して他方の焦点Ｐ２に集まる紫外光をその手前で、焦点Ｐ１，Ｐ２を結ぶ軸Ａに略平行化して照明部７１に射出する。
【００３７】
レンズ部６０の後段には、反射ミラー６５が設置されている。反射ミラー６５は、平行化レンズ６１に対して略４５度傾いて設置されている。反射ミラー６５は、平行化レンズ６１から射出された紫外光を、外装筺体２の上面２ａに設置される表示部７０に向けて、上方向（略垂直方向）に反射させる。
【００３８】
表示部７０は、情報を表示する液晶パネル７２と、液晶パネル７２を背面から照明する照明部７１とを備えている。液晶パネル７２は、透過型の液晶パネル７２で構成されている。液晶パネル７２は、プロジェクター１の各種設定を行うためのメニュー画面等を含む各種情報を表示する。
【００３９】
照明部７１は、反射ミラー６５の後段に設置される。照明部７１は、透明基材としてのガラス基板７１１と、ガラス基板７１１の下面（発光部３０２側の面）に形成される可視光反射膜７１２と、ガラス基板７１１の上面（液晶パネル７２側の面）に形成される発光部材７１３とを備えている。可視光反射膜７１２は、反射ミラー６５で反射された光線（紫外光）に含まれる可視光を反射させる。可視光反射膜７１２を透過した紫外光は、ガラス基板７１１を透過して発光部材７１３に入射する。
【００４０】
発光部材７１３は、ガラス基板７１１の上面に、蛍光物質の粒子を混入させた部材を塗布して形成されている。発光部材７１３は、ガラス基板７１１を透過して入射する紫外光により、蛍光物質が発光（励起）して、可視光を射出（放出）する。これにより、照明部７１（発光部材７１３）の後段に設置される液晶パネル７２は、発光部材７１３が射出する可視光により、液晶パネル７２に表示される画像を視認可能な明るさ（コントラスト）で表示させることができる。
【００４１】
なお、本実施形態では、発光部材７１３は、低い駆動電圧で光源装置３０を駆動する場合に射出される紫外光の光量により、発光量を飽和させている。詳細には、発光部材７１３は、紫外光の光量に対応させて、含有する発光物質の量（濃度）と塗布する厚さを調整することで、発光量を飽和させている。
【００４２】
本実施形態のプロジェクター１は、投射レンズ３５から射出される投射光の輝度を、低輝度と高輝度との２つのレベルで切り換えて投射させることが可能となっている。低輝度で投射する場合には、光源装置３０の駆動電圧を低くし、高輝度で投射する場合には、光源装置３０の駆動電圧を高くすることにより行っている。従って、上述した低い駆動電圧で光源装置３０を駆動することは、低輝度での投射に対応する低い駆動電圧での駆動に対応している。
【００４３】
これにより、高輝度での投射に対応して、高い駆動電圧で光源装置３０を駆動した場合には、射出されて導光される紫外光の光量が増える。しかし、発光部材７１３の発光量が飽和しているため、発光部材７１３で射出される可視光の明るさは変化しない。言い換えると、表示部７０は、低輝度投射と高輝度投射において、常に一定の明るさとなるように規制されている。
【００４４】
上述した実施形態によれば、以下の効果が得られる。
本実施形態のプロジェクター１は、光源装置３０と表示部７０とを備え、表示部７０は、液晶パネル７２と照明部７１とを備えている。そして、照明部７１は、リフレクター３０５を透過する紫外光により発光して、液晶パネル７２を背面から照明する。この構成により、不要な紫外光を利用することができ、プロジェクター１の消費電力の一部を賄うことができるため、エネルギーの有効利用が可能となり、プロジェクターの省エネルギー化を実現できる。
【００４５】
本実施形態のプロジェクター１によれば、照明部７１は、透明基材としてのガラス基板７１１と、ガラス基板７１１に形成されて紫外光により発光する発光部材７１３と、を備えることでよいため、照明部７１を容易に構成することができる。
【００４６】
本実施形態のプロジェクター１によれば、リフレクター３０５を透過する紫外光を反射させて照明部７１に導光する反射部５０を備えると共に、反射部５０は、楕円面形状の反射面５１を備えている。また、反射部５０は、楕円面形状の一方の焦点Ｐ１を、発光管３０１の発光部３０２の中心部に合わせて設置している。この構成により、発光部３０２の中心部から射出された紫外光は、リフレクター３０５を透過し、楕円面形状の反射面５１で反射して、他方の楕円面形状の焦点Ｐ２に集まる。これにより、発光管３０１から射出された紫外光を効率的に無駄なく導光させて集めることができる。
【００４７】
本実施形態のプロジェクター１によれば、反射部５０で導光された紫外光を略平行化して照明部７１に射出するレンズ部６０を備えると共に、レンズ部６０は、反射部５０の楕円面形状の他方の焦点Ｐ２より、一方の焦点Ｐ１側にずれて設置されている。この構成により、紫外光を効率的に照明部７１に射出することができる。また、紫外光の光量もレンズ部６０（平行化レンズ６１）の面内で均一にさせることができ、照明部７１を均一に発光させることができる。そのため、液晶パネル７２を均一な明るさで照明することができ、照明の品質を向上させることができる。
【００４８】
本実施形態のプロジェクター１によれば、照明部７１は、低輝度での投射に対応する低い駆動電圧で光源装置３０を駆動する場合に射出される紫外光の光量により、発光部材７１３の発光量を飽和させている。この構成により、照明部７１の明るさを低い駆動電圧での紫外光の光量で決めるため、それより高い駆動電圧で光源装置３０を駆動した場合にも、低い駆動電圧での明るさと変わらない明るさで照明することができる。これにより、光源装置３０の駆動電圧を変化させても一定の明るさで液晶パネル７２を照明することができ、照明の品質を向上させることができる。
（第２実施形態）
【００４９】
図４は、第２実施形態に係るプロジェクター１０の調整部８０を示す概略断面図であり、図４（ａ）は、調整部８０の遮光板８１を最大に開いた状態を示す断面図であり、図４（ｂ）は、調整部８０の遮光板８１を閉じた状態を示す断面図である。なお、図４は、光源装置３０を省略して、反射部５０から表示部７０までの構成を示している。図４を参照して、調整部８０の構成と動作に関して説明する。
【００５０】
本実施形態のプロジェクター１０は、第１実施形態のプロジェクター１と比較して、紫外光の光量を調整する調整部８０を設置していることが異なる。その他の構成は第１実施形態と同様に構成され同様に動作する。第１実施形態と同様の構成には同様の符号を付記している。
【００５１】
本実施形態の調整部８０は、レンズ部６０と表示部７０との間に設置される。詳細には、反射ミラー６５と照明部７１との間に設置される。調整部８０は、照明部７１に入射する紫外光の光量を調整している。
【００５２】
調整部８０は、矩形状（短冊状）の板部材で形成される遮光板８１を備えており、この遮光板８１を並列に複数並べた状態に構成されている。複数の遮光板８１は、駆動部８５により、それぞれの遮光板８１の長手方向となる一辺側を支点８２として、それぞれ同期して回動する。なお、本実施形態の調整部８０は、図４（ａ），（ｂ）に示すように、遮光板を略９０度に開ける（全開にする）状態と、遮光板を略０度に閉める（全閉にする）状態との２つの状態に制御されている。
【００５３】
駆動部８５は、モーター８６とギヤ列８７とで構成されており、モーター８６の回転により、ギヤ列８７の各ギヤが従動して回転することにより、各支点８２を中心にして、各遮光板８１を開閉する動作を行わせる。また、駆動部８５は、制御部８８により駆動を制御されている。制御部８８は、本実施形態では、光源装置３０を点灯した場合に、点灯開始から所定時間の間、遮光板８１を閉じる動作を行い、所定時間経過後に遮光板８１を開く動作を行わせている。
【００５４】
なお、光源装置３０を点灯させた場合、光源装置３０は徐々に明るくなるため、光源装置３０が所定の明るさとなるまでには時間がかかる。従って、光源装置３０の発光に伴う紫外光の光量も徐々に増えることで、表示部７０の明るさも徐々に明るくなり、表示部の明るさが所定の明るさ（発光部材７１３の発光が飽和した明るさ）になるまでには時間がかかる。このような状況に対して、本実施形態では、光源装置３０が所定の明るさとなるまでの間（所定の時間）は、図４（ｂ）に示すように、照明部７１に入射する紫外光を遮光して、表示部７０を照明しない設定としている。
【００５５】
光源装置３０の点灯開始から所定時間が経過した場合、図４（ａ）に示すように、制御部８８は、駆動部８５に調整部８０（遮光板８１）を開くように指示信号を出力する。駆動部８５は、制御部８８からの指示信号を受けて、モーター８６を回転させる。モーターの回転により、ギヤ列８７のギヤが従動して回転する。このギヤの回転により、調整部８０の各遮光板８１が支点８２を中心に回転し、遮光板８１を開ける（全開にする）。
【００５６】
この動作により、反射ミラー６５で反射された紫外光は、調整部８０を透過して照明部７１に入射する。これにより、発光部材７１３が発光し、液晶パネル７２が照明される。
【００５７】
また、本実施形態では、光源装置３０を消灯した場合には、表示部７０を照明しない設定としている。この場合、図４（ｂ）に示すように、制御部８８は、光源装置３０を消灯するスイッチ入力の信号を受け、駆動部８５に調整部８０（遮光板８１）を閉めるように指示信号を出力する。駆動部８５は、制御部８８からの指示信号を受けて、モーター８６を、遮光板８１を開ける場合の回転方向とは逆方向に回転させる。モーターの逆方向への回転により、ギヤ列８７のギヤが従動して逆方向に回転する。このギヤの逆方向への回転により、調整部８０の各遮光板８１が支点８２を中心に逆方向に回転し、遮光板８１を閉める（全閉にする）。なお、調整部８０の遮光板８１を全閉する状態は、次に光源装置３０が点灯されて所定時間が経過する直前まで維持される。
【００５８】
この動作により、反射ミラー６５で反射された紫外光は、調整部８０の遮光板８１により遮光（反射）されることにより、照明部７１へは入射しない。これにより、発光部材７１３は発光が停止し、液晶パネル７２の照明が停止（消灯）される。
【００５９】
なお、光源装置３０が消灯した場合には、紫外光も射出されなくなるため、遮光板８１を閉めなくても発光部材７１３の発光は停止する。しかし、光源装置３０を消灯（駆動電圧の印加を停止）した場合には、光源装置３０は徐々に暗くなるため、遮光板８１を閉めない場合には、照明部７１も徐々に暗くなる。従って、光源装置３０を消灯した場合に、遮光板８１を閉めることにより、表示部７０の消灯を的確に行うことができる。
【００６０】
上述した実施形態のプロジェクター１０によれば、第１実施形態のプロジェクター１と同様の効果を奏する他、以下の効果が得られる。
本実施形態のプロジェクター１０によれば、照明部７１に入射する紫外光の光量を調整する調整部８０を備えているため、照明部７１の発光する光量（発光量）を調整することができる。
【００６１】
本実施形態のプロジェクター１０によれば、光源装置３０の点灯開始から所定時間経過後に制御部８８及び駆動部８５により、遮光板８１を開くことができるため、表示部７０の照明の明るさを一定にすることができ、照明の品質を向上させることができる。また、光源装置３０を消灯した場合には、制御部８８及び駆動部８５により、遮光板８１を閉めることができるため、表示部７０の照明を的確に消灯することができ、照明の品質を向上させることができる。これらにより、プロジェクター１０の利便性を向上させることができる。
【００６２】
なお、上述した第１、第２実施形態に限定されず、その要旨を逸脱しない範囲において種々の変更や改良等を加えて実施することが可能である。変形例を以下に述べる。
【００６３】
前記第１実施形態でのプロジェクター１において、反射部５０は、楕円面形状の反射面５１を備えている。しかし、反射部５０は、楕円面形状には限られず、リフレクター３０５から透過した紫外光を反射させて照明部に導光する反射部であればよい。これは、前記第２実施形態においても同様となる。
【００６４】
前記第１実施形態でのプロジェクター１は、反射部５０で導光された紫外光を略平行化して照明部７１に射出するレンズ部６０を備えている。しかし、レンズ部６０は備えなくてもよい。この場合、反射部５０の後段に照明部７１を設置して、反射部５０により導光された紫外光を、直接、照明部７１に入射させる構成としてもよい。これは、前記第２実施形態においても同様となる。
【００６５】
前記第２実施形態でのプロジェクター１０は、調整部８０を備えて、光源装置３０の点灯開始から所定時間までは遮光板８１を全閉し、所定時間経過後に遮光板８１を全開している。また、光源装置３０の消灯時に、遮光板８１を全閉している。しかし、調整部８０（遮光板８１）の開閉は、前述の場合に限定されず、必要な場合に、適宜、開閉させることでよい。例えば、プロジェクター１０を暗い部屋で使用している場合には、表示部７０が照明されていると、投射画像が見難くなる場合があるため、このような場合には、遮光板８１を閉めることにより、表示部７０の照明を消灯させてもよい。
【００６６】
前記第２実施形態でのプロジェクター１０において、調整部８０は、光源装置３０の点灯開始から所定時間までは全閉し、所定時間経過後に遮光板８１を全開している。また、光源装置３０の消灯時に、遮光板８１を全閉している。しかし、調整部８０は、遮光板８１の回転を、全開と全閉のみではなく、全開と全閉の途中で止めることにより、紫外光の透過量を調整することでもよい。
【００６７】
前記第１実施形態でのプロジェクター１は、低輝度と高輝度との２つのレベルで切り換えて投射させることが可能となっている。そして、照明部７１は、低い駆動電圧（低輝度に対応する駆動電圧）で光源装置３０を駆動する場合に射出される紫外光の光量により、発光部材７１３の発光量を飽和させている。しかし、プロジェクター１の投射における輝度が３つ以上のレベルで切り換え可能である場合には、そのレベルの中で最も低いレベルでの駆動電圧による紫外光の光量により、発光部材７１３の発光量を飽和させることでよい。これは、前記第２実施形態においても同様となる。
【００６８】
前記第１実施形態でのプロジェクター１おいて、照明部７１は、低い駆動電圧で光源装置３０を駆動する場合に射出される紫外光の光量により、発光部材７１３の発光量を飽和させている。しかし、発光部材７１３の発光量は飽和させずに、紫外光の光量に応じて、発光部材７１３が発光することでもよい。これは、前記第２実施形態においても同様となる。
【００６９】
前記第１実施形態でのプロジェクター１は、反射ミラー６５を備え、平行化レンズ６１から射出された紫外光を略垂直方向に反射させるように設置している。しかし、反射ミラー６５は、照明部７１の方向に対応して紫外光が反射するように設置することでよい。これは、前記第２実施形態においても同様となる。
【００７０】
前記第１実施形態でのプロジェクター１は、レンズ部６０から射出された紫外光を反射する反射ミラー６５を備えている。しかし、これに限られず、反射部５０と照明部７１との位置関係によっては、反射ミラー６５を備えなくてもよい。これは、前記第２実施形態においても同様となる。
【符号の説明】
【００７１】
１，１０…プロジェクター、３０…光源装置、５０…反射部、５１…反射面、６０…レンズ部、７０…表示部、７１…照明部、７２…液晶パネル、８０…調整部、３０１…発光管、３０５…リフレクター、７１１…ガラス基板、７１３…発光部材、Ｐ１，Ｐ２…焦点。
【図１】
2013145260.tif 000003
【図２】
2013145260.tif 000004
【図３】
2013145260.tif 000005
【図４】
2013145260.tif 000006